(57)【要約】    【課題】      色素溶液の基板２への塗れ性を改善し、その色素層（光記録層３）の成膜性を所定のレベルにして、最適な光学特性を得ることができ、第１の副情報領域１２、第２の副情報領域１３および主情報領域１４の特性を確保しつつ生産性の良好な光情報記録媒体を提供すること。    【解決手段】  第１の副情報領域１２と第２の副情報領域１３との間の第１の境界領域１７、第２の副情報領域１３と主情報領域１４との間の第２の境界領域１８にそれぞれ所定形状の溝３１、３２を形成して成膜性を安定して確保することに着目し、中心から外周方向に向かって順に、第１の副情報領域１２と、第２の副情報領域１３と、主情報領域１４と、を設け、第１の副情報領域１２と第２の副情報領域１３との間の第１の境界領域１７に第１の溝３１を形成し、第２の副情報領域１３と主情報領域１４との間の第２の境界領域１８に第２の溝３２を形成したことを特徴とする。【選択図】        図１
2006048772.tif 000002
【特許請求の範囲】
【請求項１】
透光性を有する基板と、
レーザー光を吸収する色素から構成した光吸収物質を含む光記録層と、
前記レーザー光を反射する光反射層と、を有し、
前記光記録層に前記レーザー光を照射することにより光学的に読み取り可能な主情報を記録する主情報領域を有する光情報記録媒体であって、
当該光情報記録媒体の中心から外周方向に向かって順に、第１の副情報領域と、第２の副情報領域と、前記主情報領域と、を設け、
前記第１の副情報領域に前記レーザー光により第１の副情報を記録可能とし、
前記第２の副情報領域に前記レーザー光により第２の副情報を記録可能とするとともに、
前記第１の副情報領域と前記第２の副情報領域との間の第１の境界領域に第１の溝を形成し、
前記第２の副情報領域と前記主情報領域との間の第２の境界領域に第２の溝を形成したことを特徴とする光情報記録媒体。
【請求項２】
前記第１の副情報は、前記主情報とは種類の異なるバーコードによりこれを記録することを特徴とする請求項１記載の光情報記録媒体。
【請求項３】
前記第２の副情報は、エンボス状のピット列によりこれを記録することを特徴とする請求項１記載の光情報記録媒体。
【請求項４】
前記第１の溝および前記第２の溝は、それぞれ同じ深さを有することを特徴とする請求項１記載の光情報記録媒体。
【請求項５】
前記第１の溝および前記第２の溝は、それぞれ同じピッチを有することを特徴とする請求項１記載の光情報記録媒体。
【請求項６】
前記第１の溝および前記第２の溝は、それぞれ異なるピッチを有することを特徴とする請求項１記載の光情報記録媒体。
【請求項７】
前記第１の溝および前記第２の溝は、それぞれ同じ幅を有することを特徴とする請求項１記載の光情報記録媒体。
【請求項８】
前記第１の溝および前記第２の溝は、それぞれ異なる幅を有することを特徴とする請求項１記載の光情報記録媒体。
【請求項９】
前記第１の溝および前記第２の溝は、らせん状あるいは同心円状であることを特徴とする請求項１記載の光情報記録媒体。
【請求項１０】
前記第１の溝の深さは、
前記第１の副情報領域のプリグルーブの深さ、あるいは前記第２の副情報領域のピットの深さと同じであることを特徴とする請求項１記載の光情報記録媒体。
【請求項１１】
前記第１の溝の幅は、
前記第１の副情報領域のプリグルーブの幅、あるいは前記第２の副情報領域のピットの幅と同じであることを特徴とする請求項１記載の光情報記録媒体。
【請求項１２】
前記第２の溝の深さは、
前記第２の副情報領域のピットの深さ、あるいは前記主情報領域のプリグルーブの深さと同じであることを特徴とする請求項１記載の光情報記録媒体。
【請求項１３】
前記第２の溝の幅は、
前記第２の副情報領域のピットの幅、あるいは前記主情報領域のプリグルーブの幅と同じであることを特徴とする請求項１記載の光情報記録媒体。
【請求項１４】
透光性を有する基板と、
レーザー光を吸収する色素から構成した光吸収物質を含む光記録層と、
前記レーザー光を反射する光反射層と、を有し、
前記光記録層に前記レーザー光を照射することにより光学的に読み取り可能な主情報を記録する主情報領域を有する光情報記録媒体であって、
複数に区分した情報領域を有し、これら各情報領域を所定の間隔をおいて構成するとともに、
この間隔に溝を形成したことを特徴とする光情報記録媒体。
【発明の詳細な説明】
【技術分野】
【０００１】
本発明は光情報記録媒体にかかるもので、とくに波長が３５０〜５００ｎｍのレーザー光（ブルーレーザー）による記録を行う光情報記録媒体に関するものである。
【背景技術】
【０００２】
従来からレーザー光を用いて光情報の記録再生を行う光情報記録媒体すなわち、波長が７５０〜８３０ｎｍ（たとえば７８０ｎｍ前後）の赤色レーザー光を用いるＣＤ、あるいは波長が６４０〜６８０ｎｍ（たとえば６５０〜６６５ｎｍ）の短波長赤色レーザー光を用いるＤＶＤに加えて、さらに波長が３５０〜５００ｎｍ（たとえば４０５ｎｍ前後）と短い青色レーザーを用いることによって、高密度の光情報を高速で記録および再生可能とすることができるブルーレーザーディスク（ＢＤ、あるいはＨＤ−ＤＶＤ）の開発が進められている。
【０００３】
このブルーレーザーディスク（ＢＤ、あるいはＨＤ−ＤＶＤ）に対する規格のうちには、従来からのデータ記録を行う主情報とは種類の異なる副情報を記録（ＢＣＡ記録、ピット列記録）することが定められている。
図５は、当該ブルーレーザーディスク（とくにＨＤ−ＤＶＤ）による光情報記録媒体１の概略平面図、図６は、その概略断面図である。
光情報記録媒体１は、とくに図６に示すように、透光性の基板２と、この基板２上に形成した光記録層３（光吸収層）と、この光記録層３の上に形成した光反射層４と、この光反射層４の上に形成した保護層５（接着層）と、保護層５のさらに上層に所定厚さで積層したダミー基板６と、を有し、規格で必要とされる所定の厚さに形成する。
上記基板２にはスパイラル状にプリグルーブ７を形成してある。このプリグルーブ７の左右には、このプリグルーブ７以外の部分すなわちランド８が位置している。
この基板２側からレーザー光９を照射することにより、光記録層３がレーザー光９のエネルギーを吸収することによって発熱し、光記録層３の熱分解により記録ピット１０が形成され、光記録層３に情報を記録可能である。
【０００４】
透光性の基板２は、レーザー光９に対する屈折率がたとえば１．５〜１．７程度の範囲内の透明度の高い材料で、厚さ約１．１ｍｍであり、耐衝撃性に優れた主として樹脂により形成したもの、たとえばポリカーボネート、ガラス板、アクリル板、エポキシ板等を用いる。
【０００５】
光記録層３は、基板２の上に形成した色素を含む光吸収性の物質（光吸収物質）からなる層で、レーザー光９を照射することにより、発熱、溶融、昇華、変形または変性をともなう層である。この光記録層３はたとえば溶剤により溶解した色素等を、スピンコート法等の手段により、基板２の表面に一様にコーティングすることによってこれを形成する。
光記録層３に用いる材料は、任意の光記録材料を採用することができるが、光吸収性の有機色素が望ましいとともに、レーザー光９の吸収波長領域で屈折率ｎが１．９をこえる材料が必要である。
【０００６】
光反射層４は、熱伝導率および光反射性の高い金属膜であり、たとえば、金、銀、銅、アルミニウム、あるいはこれらを含む合金を、蒸着法、スパッタ法等の手段によりこれを形成する。
【０００７】
保護層５は、基板２と同様の耐衝撃性、接着性に優れた樹脂によりこれを形成する。たとえば、紫外線硬化樹脂をスピンコート法により塗布し、これに紫外線を照射して硬化させることによりこれを形成する。
【０００８】
ダミー基板６は、上記基板２と同様の材料によるものである。
【０００９】
とくに図５に示すように、光情報記録媒体１（基板２）のセンターホール１１から外周側に向かって平面的かつ同心的に、第１の副情報領域１２（ＢＣＡ記録領域）と、第２の副情報領域１３（システムリードイン領域）と、主情報領域１４（データ領域）と、を定義可能としてある。
上記センターホール１１の外周側円周部に、光情報記録媒体１の中心から所定の間隔をおいて第１の副情報領域１２を設けること、およびこの第１の副情報領域１２にバーコード状のＢＣＡ（Ｂｕｒｓｔ  Ｃｕｔｔｉｎｇ  Ａｒｅａ）記録を行うこと、さらに第１の副情報領域１２から所定の間隔をおいて第２の副情報領域１３を設けること、およびこの第２の副情報領域１３にエンボス状のピット列による情報を記録すること、が定められている。
すなわちＢＣＡ記録は、ディスク（光情報記録媒体１）の中央付近にバーコード１５による記録領域（第１の副情報領域１２）を形成し、レーザー光９を用いて主情報とは種類の異なるバーコード１５によるキー情報その他を記録（ＢＣＡ記録）して、ディスクの連番表記、ディスクの違法コピーの防止などを可能とするものである。副情報としては、このＢＣＡ記録による情報に限定されるものではない。副情報領域としても、このＢＣＡ記録領域に限定されるものではない。
なお、この第１の副情報領域１２および主情報領域１４自体の断面は、図６に示した構造を有し、第１の副情報領域１２における光記録層３によるレーザー光９の吸収により、バーコード１５を記録可能とする。
【００１０】
第２の副情報領域１３は、第１の副情報領域１２の外周側に所定の間隔をおいて位置し、エンボス処理によるピット１６によって第２の副情報の記録（ピット記録）を行う。
第２の副情報領域１３に記録する情報としては、ディスクの種類や構造、および製造メーカー等の情報などがある。
【００１１】
主情報領域１４は、第２の副情報領域１３のさらに所定の間隔をおいて外周側に位置し、一般ユーザーが用いるレーザー光９による通常の光情報の記録再生に用いる領域である。主情報としては、主情報領域１４（データ領域）に記録する情報すなわち一般ユーザーが記録するこのデータ情報に限定されるものではない。
【００１２】
なお、第１の副情報領域１２と第２の副情報領域１３との間には、所定の間隔を有する第１の境界領域１７を画成している。
また、第２の副情報領域１３と主情報領域１４との間には、所定の間隔を有する第２の境界領域１８を画成している。
ただし、規格は、これらの第１の境界領域１７および第２の境界領域１８については、具体的な構造についての条件を示していない。
【００１３】
こうした構成の光情報記録媒体１において、第１の副情報領域１２および第２の副情報領域１３は、いずれも工場からの出荷段階で、ＢＣＡ用の書込み装置およびエンボス用装置（ともに図示せず）によりこれらに情報を書き込むものであるが、とくに第１の副情報領域１２には、基板２にプリグルーブ７およびランド８を形成するためのスタンピング工程とは独立して、基板２への光記録層３、光反射層４、保護層５およびダミー基板６の形成後に、バーコード記録によるＢＣＡ記録を行う必要があるという問題がある。
また、第２の副情報領域１３は、基板２の成形時のスタンピング工程において同時にエンボス処理によりピット列によるピット情報を記録するものであるが、第１の副情報領域１２および主情報領域１４との関連で第１の境界領域１７および第２の境界領域１８についてどのように処理するかの問題がある（図８および図９にもとづき後述する）。
【００１４】
こうした問題は、他のタイプのブルーレーザーディスク（ＢＤ）についても同様である。
図７は、当該ブルーレーザーディスク（とくにＢＤ）による光情報記録媒体２０の概略断面図である。
図示のように、光情報記録媒体２０は、透明な基板２と、光反射層４と、光記録層３と、保護層５と、接着層２１と、カバー層２２と、を有するとともに、その平面図は、光情報記録媒体１（図５）と事実上同一である。なお、保護層５あるいは接着層２１の表面に無機層を追加してもよい。
接着層２１は、厚さ約０．１ｍｍのカバー層２２を保護層５に接着するものである。
このカバー層２２側からレーザー光９を照射することにより、光記録層３がレーザー光９のエネルギーを吸収することによって発熱し、光記録層３の熱分解によってプリグルーブ７あるいはランド８のいずれかに記録ピット１０が形成され、光記録層３に情報を記録可能である。
【００１５】
図８は、第１の境界領域１７および第２の境界領域１８の部分の拡大断面図であって、説明の弁のためにそれぞれの相対的な大きさないし形状については無視して描いてある。
図示のように、第１の境界領域１７および第２の境界領域１８には本来光記録層３を形成する必要がなく、色素を塗布する必要があるわけではない。
また、第１の副情報領域１２についても光記録層３のような色素膜を形成することなく、エンボスによりバーコード１５を形成することも可能ではあるが、個々の光情報記録媒体１（光情報記録媒体２０）用にスタンパーを準備することは非現実的であり、実際には第２の副情報領域１３と同様に色素膜を形成することが行われる。
しかして、第１の境界領域１７、第２の副情報領域１３および第２の境界領域１８の部分のみ色素の塗布を行わないことは、光情報記録媒体１ないし光情報記録媒体２０の製造工程からは余分な処理を必要とし、好ましいものではない。
すなわち、製造工程上から、好ましくは、第１の副情報領域１２から第１の境界領域１７、第２の副情報領域１３、第２の境界領域１８および主情報領域１４にかけて一様に色素を塗布することが望ましい。
【００１６】
図９は、色素を塗布した状態の第１の境界領域１７および第２の境界領域１８の部分の拡大断面図であって、第１の境界領域１７および第２の境界領域１８の部分がミラー面（鏡面）であるため、色素を有機溶媒に溶かして色素溶液とし、スピンコート法によるこの色素溶液の塗布工程において、これらの部分における色素溶液の塗れ性が均一性に欠け、第１の境界領域１７および第２の境界領域１８における色素にそれぞれ第１の窪み２３および第２の窪み２４が生じて成膜性が低下し、光情報記録媒体１あるいは光情報記録媒体２０としての光学特性に問題が生ずるおそれがあるという問題がある。
【００１７】
【特許文献１】特開２００３−３３１４６５号公報
【発明の開示】
【発明が解決しようとする課題】
【００１８】
本発明は以上のような諸問題にかんがみなされたもので、その色素層（光記録層）の成膜性を所定のレベルにすることができる光情報記録媒体を提供することを課題とする。
【００１９】
また本発明は、色素溶液の基板への塗れ性を改善可能な光情報記録媒体を提供することを課題とする。
【００２０】
また本発明は、最適な光学特性を得ることができる光情報記録媒体を提供することを課題とする。
【００２１】
また本発明は、第１の副情報領域（ＢＣＡ記録領域）、第２の副情報領域（システムリードイン領域）および主情報領域（データ領域）の特性を確保しつつ生産性の良好な光情報記録媒体を提供することを課題とする。
【００２２】
また本発明は、第１の副情報領域および主情報領域におけるグルーブ特性、および第２の副情報領域におけるエンボス特性を確保しやすくした光情報記録媒体を提供することを課題とする。
【課題を解決するための手段】
【００２３】
すなわち本発明は、第１の副情報領域と第２の副情報領域との間の第１の境界領域、さらに第２の副情報領域と主情報領域との間の第２の境界領域にそれぞれ所定形状の溝を形成して成膜性を安定して確保することに着目したもので、第一の発明は、透光性を有する基板と、レーザー光を吸収する色素から構成した光吸収物質を含む光記録層と、上記レーザー光を反射する光反射層と、を有し、上記光記録層に上記レーザー光を照射することにより光学的に読み取り可能な主情報を記録する主情報領域を有する光情報記録媒体であって、当該光情報記録媒体の中心から外周方向に向かって順に、第１の副情報領域と、第２の副情報領域と、上記主情報領域と、を設け、上記第１の副情報領域に上記レーザー光により第１の副情報を記録可能とし、上記第２の副情報領域に上記レーザー光により第２の副情報を記録可能とするとともに、上記第１の副情報領域と上記第２の副情報領域との間の第１の境界領域に第１の溝を形成し、上記第２の副情報領域と上記主情報領域との間の第２の境界領域に第２の溝を形成したことを特徴とする光情報記録媒体である。
【００２４】
上記第１の副情報は、上記主情報とは種類の異なるバーコードによりこれを記録することができる。
【００２５】
上記第２の副情報は、エンボス状のピット列によりこれを記録することができる。
【００２６】
上記第１の溝および上記第２の溝は、それぞれ同じ深さを有することができる。
【００２７】
上記第１の溝および上記第２の溝は、それぞれ同じピッチを有することができる。
【００２８】
上記第１の溝および上記第２の溝は、それぞれ異なるピッチを有することができる。
【００２９】
上記第１の溝および上記第２の溝は、それぞれ同じ幅を有することができる。
【００３０】
上記第１の溝および上記第２の溝は、それぞれ異なる幅を有することができる。
【００３１】
上記第１の溝および上記第２の溝は、らせん状あるいは同心円状であることができる。
【００３２】
上記第１の溝の深さは、上記第１の副情報領域のプリグルーブの深さ、あるいは上記第２の副情報領域のピットの深さと同じであることができる。
【００３３】
上記第１の溝の幅は、上記第１の副情報領域のプリグルーブの幅、あるいは上記第２の副情報領域のピットの幅と同じであることができる。
【００３４】
上記第２の溝の深さは、上記第２の副情報領域のピットの深さ、あるいは上記主情報領域のプリグルーブの深さと同じであることができる。
【００３５】
上記第２の溝の幅は、上記第２の副情報領域のピットの幅、あるいは上記主情報領域のプリグルーブの幅と同じであることができる。
【００３６】
第二の発明は、透光性を有する基板と、レーザー光を吸収する色素から構成した光吸収物質を含む光記録層と、上記レーザー光を反射する光反射層と、を有し、上記光記録層に上記レーザー光を照射することにより光学的に読み取り可能な主情報を記録する主情報領域を有する光情報記録媒体であって、複数に区分した情報領域を有し、これら各情報領域を所定の間隔をおいて構成するとともに、この間隔に溝を形成したことを特徴とする光情報記録媒体である。
【発明の効果】
【００３７】
本発明による光情報記録媒体においては、複数に区分した情報領域を有し、これら各情報領域を所定の間隔をおいて構成するとともに、この間隔に溝を形成するようにした。具体的には、第１の副情報領域と第２の副情報領域との間の第１の境界領域、さらに第２の副情報領域と主情報領域との間の第２の境界領域にそれぞれ所定形状の溝を形成したので、これらの領域に色素を塗布して光記録層を形成する際に第１の境界領域および第２の境界領域における色素の挙動を第１の副情報領域、第２の副情報領域および主情報領域におけると同様にして均一かつ安定した色素膜の形成を可能とし、各領域における安定した特性を確保可能であるとともに、生産性を向上させることができる。
【発明を実施するための最良の形態】
【００３８】
本発明は、複数の情報領域の所定間隔部分に溝を形成するようにしたので、光学特性および生産性に優れた光情報記録媒体を実現することができた。
【実施例】
【００３９】
つぎに本発明の第１の実施の形態による光情報記録媒体３０を図１にもとづき説明する。ただし、図５ないし図９と同様の部分には同一符号を付し、その詳述はこれを省略する。
図１は、光情報記録媒体３０の要部拡大断面図であって、光情報記録媒体３０の基板２には、第１の副情報領域１２にプリグルーブ７およびランド８を形成し、第２の副情報領域１３にピット１６を形成し、主情報領域１４にプリグルーブ７およびランド８を形成するとともに、第１の境界領域１７に第１の溝３１を形成し、第２の境界領域１８に第２の溝３２を形成してある。
第１の溝３１の互いの間にはランド８に相当する第１のランド部３３が形成され、第２の溝３２の互いの間にはランド８に相当する第２のランド部３４が形成されることになる。
なお、第２の副情報領域１３におけるピット１６は、第１の副情報領域１２および主情報領域１４におけるプリグルーブ７に比較して比較的大きなものであり、相対的に大きく描いてある。
【００４０】
第１の溝３１および第２の溝３２は、それぞれ同じ深さ、ピッチおよび幅を有し、これらの深さ、ピッチおよび幅は、第１の副情報領域１２および主情報領域１４におけるプリグルーブ７と同じ深さ、ピッチおよび幅である。
さらに、第１の溝３１および第２の溝３２は、らせん状あるいは同心円状のいずれかにこれを形成することができる。
【００４１】
こうした構成の光情報記録媒体３０においては、この基板２に光記録層３を直接形成する光情報記録媒体１（図６）のタイプ、あるいは基板２に光反射層４を介して光記録層３を形成する光情報記録媒体２０（図７）のタイプのいずれの場合であっても、第１の境界領域１７および第２の境界領域１８が第１の副情報領域１２および主情報領域１４とその表面の構成ないし形状が同一であり、光記録層３を形成するためのスピンコート処理における色素溶液の塗布状態を均一なものとして、第１の窪み２３あるいは第２の窪み２４（図９）の発生を防止することができる。
【００４２】
なお、第１の溝３１および第２の溝３２は、互いに同じピッチあるいは幅である必要はなく、必要に応じて、任意の程度に異ならせることができる。
さらに、第１の副情報領域１２、第２の副情報領域１３および主情報領域１４についての光学的特性は、光記録層３における色素の量や種類などに応じて、それぞれの深さ、ピッチおよび幅その他の形状を調整するものとする。
また、第１の溝３１および第２の溝３２は、第１の副情報領域１２、第２の副情報領域１３および主情報領域１４との相対位置関係に応じて、それぞれの深さ、ピッチおよび幅その他の形状を調整することができる。
【００４３】
図２は、本発明の第２の実施の形態による光情報記録媒体４０の要部拡大断面図であって、光情報記録媒体４０の基板２には、第１の副情報領域１２にプリグルーブ７およびランド８を形成し、第２の副情報領域１３にピット１６を形成し、主情報領域１４にプリグルーブ７およびランド８を形成するとともに、第１の境界領域１７に上述と同様の第１の溝３１および第１のランド部３３を形成し、第２の境界領域１８には第２の溝４１を形成してある。
第２の溝４１の間には、第２のランド部４２が形成されることになる。
【００４４】
第２の溝４１は、第２の副情報領域１３におけるピット１６と同じ深さ、ピッチおよび幅を有しており、この第２の溝４１上に塗布される色素溶液は、第２の副情報領域１３における色素溶液と同等の塗れ性を有することができる。
【００４５】
こうした構成の光情報記録媒体４０においても、第１の境界領域１７は、第１の副情報領域１２および主情報領域１４とその表面の構成ないし形状が同一であり、また第２の境界領域１８は、第２の副情報領域１３とその表面の構成ないし形状が同一であって、光記録層３を形成するためのスピンコート処理における色素溶液の塗布状態をできるだけ均一なものとして、第１の窪み２３あるいは第２の窪み２４の発生を防止することができる。
【００４６】
図３は、本発明の第３の実施の形態による光情報記録媒体５０の要部拡大断面図であって、光情報記録媒体５０の基板２には、第１の副情報領域１２にプリグルーブ７およびランド８を形成し、第２の副情報領域１３にピット１６を形成し、主情報領域１４にプリグルーブ７およびランド８を形成するとともに、第２の境界領域１８に上述と同様の第１の溝３１および第２の溝３２を形成し、第１の境界領域１７に第２の溝５１および第２のランド部５２を形成してある。
【００４７】
第２の溝５１は、第２の副情報領域１３におけるピット１６と同じ深さ、ピッチおよび幅であって、この第２の溝５１上に塗布される色素溶液は、第２の副情報領域１３における色素溶液と同等の塗れ性を有することができる。
【００４８】
こうした構成の光情報記録媒体５０においても、第１の境界領域１７は、第２の副情報領域１３とその表面の構成ないし形状が同一であり、第２の境界領域１８は、第１の副情報領域１２および主情報領域１４とその表面の構成ないし形状が同一であり、光記録層３を形成するためのスピンコート処理における色素溶液の塗布状態をできるだけ均一なものとして、第１の窪み２３あるいは第２の窪み２４の発生を防止することができる。
【００４９】
図４は、本発明の第４の実施の形態による光情報記録媒体６０の要部拡大断面図であって、光情報記録媒体６０の基板２には、第１の副情報領域１２にプリグルーブ７およびランド８を形成し、第２の副情報領域１３にピット１６を形成し、主情報領域１４にプリグルーブ７およびランド８を形成するとともに、第１の境界領域１７に第２の溝５１および第２のランド部５２を形成し、第２の境界領域１８に第２の溝４１および第２のランド部４２を形成してある。
【００５０】
こうした構成の光情報記録媒体６０においても、第１の境界領域１７および第２の境界領域１８は、第２の副情報領域１３とその表面の構成ないし形状が同一であり、光記録層３を形成するためのスピンコート処理における色素溶液の塗布状態をできるだけ均一なものとして、第１の窪み２３あるいは第２の窪み２４の発生を防止することができる。
【図面の簡単な説明】
【００５１】
【図１】本発明の第１の実施の形態による光情報記録媒体３０の要部拡大断面図である。
【図２】本発明の第２の実施の形態による光情報記録媒体４０の要部拡大断面図である。
【図３】本発明の第３の実施の形態による光情報記録媒体５０の要部拡大断面図である。
【図４】本発明の第４の実施の形態による光情報記録媒体６０の要部拡大断面図である。
【図５】ブルーレーザーディスク（ＨＤ−ＤＶＤ）による光情報記録媒体１の概略平面図である。
【図６】同、概略断面図である。
【図７】ブルーレーザーディスク（ＢＤ）による光情報記録媒体２０の概略断面図である。
【図８】同、第１の境界領域１７および第２の境界領域１８の部分の拡大断面図である。
【図９】同、色素を塗布した状態の第１の境界領域１７および第２の境界領域１８の部分の拡大断面図である。
【符号の説明】
【００５２】
１  光情報記録媒体（ブルーレーザーディスク（ＨＤ−ＤＶＤ）、図５、図６）
２  基板
３  光記録層（光吸収層）
４  光反射層
５  保護層（接着層）
６  ダミー基板
７  プリグルーブ
８  ランド
９  レーザー光
１０  記録ピット
１１  光情報記録媒体１、２０（基板２）のセンターホール（図５）
１２  第１の副情報領域（ＢＣＡ記録領域）
１３  第２の副情報領域（システムリードイン領域）
１４  主情報領域（データ領域）
１５  バーコード
１６  ピット
１７  第１の境界領域
１８  第２の境界領域
２０  光情報記録媒体（ブルーレーザーディスク（ＢＤ）、図７）
２１  接着層
２２  カバー層
２３  第１の窪み（図９）
２４  第２の窪み（図９）
３０  光情報記録媒体（第１の実施の形態、ブルーレーザーディスク、図１）
３１  第１の溝
３２  第２の溝
３３  第１のランド部
３４  第２のランド部
４０  光情報記録媒体（第２の実施の形態、ブルーレーザーディスク、図２）
４１  第２の溝
４２  第２のランド部
５０  光情報記録媒体（第３の実施の形態、ブルーレーザーディスク、図３）
５１  第２の溝
５２  第２のランド部
６０  光情報記録媒体（第４の実施の形態、ブルーレーザーディスク、図４）
【図１】
2006048772.tif 000003
【図２】
2006048772.tif 000004
【図３】
2006048772.tif 000005
【図４】
2006048772.tif 000006
【図５】
2006048772.tif 000007
【図６】
2006048772.tif 000008
【図７】
2006048772.tif 000009
【図８】
2006048772.tif 000010
【図９】
2006048772.tif 000011